(57)【要約】【課題】案内レールの上面に対するシール材の位置決め作業及び接着作業を容易にするとともに、乾燥状態を気にせずに長期に渡って保管することが可能なリニアガイド装置の案内レール用シール材を提供する。【解決手段】リニアガイド装置の案内レール６の上面に貼設されてサイドシールに摺接する長尺なシール材１２である。このシール材は、サイドシールに摺接可能な帯状体３０と、この帯状体の下面全域に一体化されており、常温では溶融せず、融点以上の温度で加熱することで溶融して案内レールの上面に帯状体を接着可能とする熱可塑性の接着層３２とを備えている。ここで、使用前の接着層の露出面には、帯状の離型性セパレータが貼設されている。【選択図】　　　　図４
2004092789.tif 000002
【特許請求の範囲】
【請求項１】
軸方向両端にサイドシールを有するスライダを転動自在なボールを介して軸方向に移動可能に支持するリニアガイド装置の案内レールにおいて、当該案内レールの上面に貼設されて前記サイドシールに摺接する長尺なシール材であって、
前記サイドシールに摺接可能な帯状体と、この帯状体の下面全域に一体化されており、常温では溶融せず、融点以上の温度で加熱することで溶融して前記案内レールの上面に前記帯状体を接着可能とする熱可塑性の接着層とを備えたことを特徴とするリニアガイド装置の案内レール用シール材。
【請求項２】
使用前の前記接着層の露出面に、帯状の離型性セパレータを貼設したことを特徴とする請求項１記載のリニアガイド装置の案内レール用シール材。
【発明の詳細な説明】
【０００１】
【発明の属する技術分野】
本発明は、リニアガイド装置のスライダ内部への塵埃等の異物の侵入を防止するリニアガイド装置の案内レール用シール材に関する。
【０００２】
【従来の技術】
従来のリニアガイド装置用案内レールは、案内レールのレール上面に貼設される帯状金属体を備えており、この帯状金属体の裏面には、常温で接着性を有する湿性の接着層を設けている（例えば、特許文献１参照。）。
また、特許文献１には記載していないが、接着層の露出面を保護するために、離型性セパレータを貼設したものもある。
【０００３】
【特許文献１】
実公平６−２０２７号公報
【０００４】
【発明が解決しようとする課題】
しかしながら、上記従来のリニアガイド装置用案内レールにあっては、案内レールの上面に、帯状金属体を正確に貼設しにくいという問題がある。すなわち、案内レールは軸長が長い部材であり、接着層が意図しない位置に接触しないように、常に位置合わせを行いながら長尺な案内レールの上面に貼設作業を行っていかなければならない。また、接着層に離型性セパレータを貼設している場合には、離型性セパレータを剥がしながら帯状金属体の位置合わせを行わなければならないので、さらに難しい貼設作業となってしまう。
【０００５】
さらに、湿性の接着層を設けた帯状金属体は、乾燥によって接着能力の低下のおそれがあり、保管の面でも問題がある。
そこで、この発明は、上記従来例の未解決の課題に着目してなされたものであり、案内レールの上面に対するシール材の位置決め作業及び接着作業を容易にするとともに、乾燥状態を気にせずに長期に渡って保管することが可能なリニアガイド装置の案内レール用シール材を提供することを目的とする。
【０００６】
【課題を解決するための手段】
上記問題を解決するために、本願の請求項１記載のリニアガイド装置の案内レール用シール材は、軸方向両端にサイドシールを有するスライダを転動自在なボールを介して軸方向に移動可能に支持する長尺な軸長のリニアガイド装置の案内レールにおいて、当該案内レールの上面に貼設されて前記サイドシールに摺接するシール材であって、前サイドシールに摺接可能な帯状体と、この帯状体の下面全域に一体化されており、常温では溶融せず、融点以上の温度で加熱することで溶融して前記案内レールの上面に前記帯状体を接着可能とする熱可塑性の接着層とを備えている。
【０００７】
また、本願の請求項２記載の発明は、請求項１記載のリニアガイド装置の案内レール用シール材において、使用前の前記接着層の露出面に帯状の離型性セパレータを貼設した。
【０００８】
【発明の実施の形態】
以下、この発明に係る１実施形態を図面を参照して説明する。
図１（ａ）に示すように、符号２は、基台４の所定位置に取り付けられたリニアガイド装置であり、軸方向に延在するリニアガイド装置用案内レール６（以下、案内レールと略称する。）と、この案内レール６上に移動可能に跨架されたスライダ８とを備えている。
【０００９】
案内レール６は、案内レール本体１０と、案内レール本体１０の上面に貼設される長尺な帯状のシール材１２とを備えており、案内レール本体１０の上面には複数の座ぐり孔及び貫通孔からなるボルト挿通孔１４が開設されている。また、案内レール本体１０の両外側面には断面略Ｖ字形の軸方向に沿って上下にボール転動溝１６が形成されている。
【００１０】
スライダ８は、案内レール６に跨架する断面コの字状のスライダ本体１８と、このスライダ本体１８の軸方向両端面に取り付けられたエンドキャップ２０と、このスライダ本体１８とエンドキャップ２０の両内側面内に連続的に形成された環状の連結路２２および案内レール６のボール転動溝１６間で連続的に移動するために介挿された多数の転動自在のボール２４と、さらに、エンドキャップ２０の外側に取り付けられたゴム製のサイドシール２６とから構成されている。そして、サイドシール２６の下側端面のリップ部は、案内レール６の上面に貼設したシール材１２に接触するように配置されている。また、スライダ本体８の上面の隅部４箇所には図示しない移動体を取り付けるための貫通孔３０が開設されている。
【００１１】
また、シール材１２は、案内レール本体１０の上面に貼設されて前記ボルト挿通孔１４を覆っており、シール材１２の両端部には止め孔１２ａが形成されている。
さらに、符号２８は、鋼板をプレス加工して形成した固定部材であり、シール材１２の止め孔１２ａおよび案内レール６の一方側のボール転動溝１６に引っ掛けるための突起２８ａ及び２８ｂと、他側に固定するための止めねじ用貫通孔２８ｃとが形成されており、図１（ｂ）に示ように装着することによって、シール材１２の軸方向および上下方向への移動を拘束している。
【００１２】
ここで、図２に示すものは、案内レール本体１０の上面に貼設する前のシール材１２の横断面形状を示すものである。シール材１２は、鋼板等の金属からなる長尺な帯状体３０と、帯状体３０の裏面に一体化された接着層３２と、接着層３２の露出面に貼設した離型性セパレータ３４とで構成されている。
帯状体３０の上面は、案内レール本体１０の上面に配置すると、サイドシール２６のリップ部に摺接するようになっている。
【００１３】
また、接着層３２は、常温では溶融せず固化した状態であり、融点以上の温度で加熱することで溶融する熱可塑性の接着剤である。具体的な材料としては、ホットメルト接着剤ＳＴＥ−２０１（ヒロダイン株式会社製）を使用している。
次に、図３及び図４を参照して、案内レール本体１０の上面にシール材１２を貼設する手順及び作用について説明する。
【００１４】
先ず、シール材１２を案内レール本体１０の上面に貼設する前に、接着層３２に貼設されている離型性セパレータ３４を剥がす。
次いで、図３に示すように、案内レール本体１０の上面に、長尺なシール材１２を載せて位置合わせを行う。この際、接着層３２は常温では固化した状態なので、シール材１２を案内レール本体１０の上面で幅方向、長手方向に摺動させることで、所望の位置に正確に位置合わせを行うことが可能となる。
【００１５】
次いで、シール材１２の位置合わせが完了した後、図４に示すように、シール材１２の帯状体３０の全体に上方から押圧力Ｆを加えるとともに、接着層３２の融点以上の温度Ｔをシール材１２に向けて加え続ける。これにより、接着層３２が溶融していき、帯状体３０が案内レール本体１０の上面に接着されていく。
したがって、本実施形態では、長尺なシール材１２の接着層３２は常温では固化して接着性が無いので、シール材１２を案内レール本体１０の上面で幅方向、長手方向に摺動させることで所望の位置に正確に位置合わせを行うことが可能となり、案内レール本体１０の上面に対するシール材１２の正確な位置決め作業を容易に行うことができる。
【００１６】
また、シール材１２の位置合わせが完了した後に、シール材１２の帯状体３０の全体に上方から押圧力Ｆを加えながら、接着層３２の融点以上の温度Ｔをシール材１２に向けて加え続けることで、帯状体３０を案内レール本体１０の上面に接着することができるので、案内レール本体１０へのシール材１２の確実な貼設作業も容易に行うことができる。
【００１７】
また、シール材１２の接着層３２は、常温では固化していることから、高温状態にならない場所であれば保管場所を選ぶ必要がなく、長期に渡ってシール材１２を保管しても、接着性が劣化しない。
さらに、使用しない状態のシール材１２の接着層３２には離型性セパレータ３４が貼設されており、接着層３２を確実に保護しているので、シール材１２の品質を維持することができる。
【００１８】
なお、本実施形態では、シール材１２を構成する帯状体３０として鋼板等の金属部材を使用したが、本発明の要旨がこれに限定されるものではなく、例えば帯状に形成した硬質の樹脂材であってもよい。また、本実施形態では、シール材１２の両端部に止め孔１２ａを形成したり、固定部材２８にてシール材１２を固定した例を示したが、止め孔１２ａを形成しなくても、さらには固定部材２８で固定しなくても、同様の作用効果を奏することができる。
【００１９】
【発明の効果】
本発明のリニアガイド装置の案内レール用シール材によると、サイドシールに摺接可能な帯状体と、この帯状体の下面全域に一体化され、常温では溶融せず、融点以上の温度で加熱することで溶融してレール上面に前記帯状体を接着可能とする熱可塑性の接着層とを備えていることから、レール上面に対するシール材の位置決め作業及び接着作業を容易に行うことができるとともに、乾燥状態を気にせずに長期に渡って保管することが可能となる。
【図面の簡単な説明】
【図１】本発明に係るリニアガイド装置を示す斜視図である。
【図２】本発明に係るリニアガイド装置の案内レールの上面に貼設されるシール材の構成を示す横断面図である。
【図３】案内レールの上面においてシール材の位置合わせを行っている状態を示す図である。
【図４】案内レールの上面にシール材を貼設している状態を示す図である。
【符号の説明】
２　リニアガイド装置
６　案内レール（リニアガイド装置用案内レール）
８　スライダ
８　スライダ本体
１０　案内レール本体
１２　シール材
１６　ボール転動溝
１８　スライダ本体
２０　エンドキャップ
２４　ボール
２６　サイドシール
２８　固定部材
３０　帯状体
３２　接着層
３４　離型性セパレータ
【図１】
2004092789.tif 000003
【図２】
2004092789.tif 000004
【図３】
2004092789.tif 000005
【図４】
2004092789.tif 000006